【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】  以下の式で示されるナフトピラン化合物：
【化１】
2003519694.tif 000001
式中、
（ａ）Ｒ１はＣ３〜Ｃ１２シクロアルキル、モノ（Ｃ１〜Ｃ６）アルキル置換Ｃ３〜Ｃ１２シクロアルキル、モノ（Ｃ１〜Ｃ６）アルコキシ置換Ｃ３〜Ｃ１２シクロアルキル、ハロ（Ｃ３〜Ｃ１２）シクロアルキル、Ｃ４〜Ｃ１２ビシクロアルキル又はＣ７〜Ｃ１２トリシクロアルキルである；
（ｂ）Ｒ２は水素、Ｃ１〜Ｃ６アルキル、Ｃ３〜Ｃ７シクロアルキル、フェニル、モノ−、ジ−、又はトリ−置換フェニル、式−ＯＲ４［式中、
Ｒ４は水素、Ｃ１〜Ｃ６アルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、（Ｃ１〜Ｃ６）アルコキシ（Ｃ２〜Ｃ４）アルキル、Ｃ３〜Ｃ７シクロアルキル、モノ（Ｃ１〜Ｃ４）アルキル置換Ｃ３〜Ｃ７シクロアルキル、Ｃ１〜Ｃ６ハロアルキル、アリル、式−ＣＨ（Ｒ５）Ｘ｛式中、ＸはＣＮ、ＣＦ３、ハロゲン又は式−Ｃ（Ｏ）Ｗ（式中、Ｗは−ＯＲ９又は−Ｎ（Ｒ１０）Ｒ１１である。）で示される基であり、Ｒ５は水素又はＣ１〜Ｃ６アルキルであり、Ｒ９は水素、アリル、Ｃ１〜Ｃ６アルキル、フェニル、モノ（Ｃ１〜Ｃ６）アルキル置換フェニル、モノ（Ｃ１〜Ｃ６）アルコキシ置換フェニル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、Ｃ１〜Ｃ６アルコキシ（Ｃ２〜Ｃ４）アルキル、Ｃ１〜Ｃ６ハロアルキル又はＲ１であり、Ｒ１０及びＲ１１は水素、Ｃ１〜Ｃ６アルキル、Ｃ３〜Ｃ７シクロアルキル、フェニル、モノ置換フェニル及びジ置換フェニルからなる群からそれぞれ選択される。｝で示される基であるか、又は
Ｒ４は、式−Ｃ（Ｏ）Ｙ｛式中、Ｙは水素、Ｃ１〜Ｃ６アルキル、Ｃ１〜Ｃ６アルコキシ、モノ−又はジ−置換又は無置換アリール基、フェニル又はナフチル、フェノキシ、Ｃ１〜Ｃ６モノ−又はジ−アルキル置換フェノキシ、Ｃ１〜Ｃ６モノ−又はジ−アルコキシ置換フェノキシ、Ｃ１〜Ｃ６アルキルアミノ、フェニルアミノ、Ｃ１〜Ｃ６モノ−又はジ−アルキル置換フェニルアミノ、又はＣ１〜Ｃ６モノ−又はジ−アルコキシ置換フェニルアミノであり、該アリール置換基はＣ１〜Ｃ６アルキル又はＣ１〜Ｃ６アルコキシから選択され、該ハロゲン又はハロ置換基はブロモ、クロロ、フルオロ又はイオドから選択される。｝で示される基である。］で示される基である；
（ｃ）各Ｒ３はＲ２であり、ｎは０、１、２又は３から選択される整数である；及び
（ｄ）Ｂ及びＢ’はそれぞれ以下の（ｉ）〜（ｖｉｉ）からなる群から選択される：
（ｉ）無置換、モノ−、ジ−及びトリ−置換アリール基、フェニル及びナフチル；
（ｉｉ）９−ジュロリジニル及び無置換、モノ−及びジ−置換ヘテロ芳香族基、ピリジル、フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾリル及びフルオレニル、（ｄ）（ｉ）及び（ｉｉ）中の該アリール及びヘテロ芳香族置換基のそれぞれは、ヒドロキシ、アリール、モノ（Ｃ１〜Ｃ６）アルコキシアリール、ジ（Ｃ１〜Ｃ６）アルコキシアリール、モノ（Ｃ１〜Ｃ６）アルキルアリール、ジ（Ｃ１〜Ｃ６）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ６）アルキル、Ｃ３〜Ｃ７シクロアルキルオキシ（Ｃ１〜Ｃ６）アルコキシ、アリール（Ｃ１〜Ｃ６）アルキル、アリール（Ｃ１〜Ｃ６）アルコキシ、アリールオキシ、アリールオキシ（Ｃ１〜Ｃ６）アルキル、アリールオキシ（Ｃ１〜Ｃ６）アルコキシ、モノ−及びジ−（Ｃ１〜Ｃ６）アルキルアリール（Ｃ１〜Ｃ６）アルキル、モノ−及びジ−（Ｃ１〜Ｃ６）アルコキシアリール（Ｃ１〜Ｃ６）アルキル、モノ−及びジ−（Ｃ１〜Ｃ６）アルキルアリール（Ｃ１〜Ｃ６）アルコキシ、モノ−及びジ−（Ｃ１〜Ｃ６）アルコキシアリール（Ｃ１〜Ｃ６）アルコキシ、アミノ、モノ（Ｃ１〜Ｃ６）アルキルアミノ、ジ（Ｃ１〜Ｃ６）アルキルアミノ、ジアリールアミノ、Ｎ−（Ｃ１〜Ｃ６）アルキルピペラジノ、Ｎ−アリールピペラジノ、アジリジノ、インドリノ、ピペリジノ、アリールピペリジノ、モルホリノ、チオモルホリノ、テトラヒドロキノリノ、テトラヒドロイソキノリノ、ピリル、Ｃ１〜Ｃ６アルキル、Ｃ１〜Ｃ６ハロアルキル、Ｃ１〜Ｃ６アルコキシ、モノ（Ｃ１〜Ｃ６）アルコキシ（Ｃ１〜Ｃ４）アルキル、アクリルオキシ、メタクリルオキシ及びハロゲンからなる群から選択され、該アリールはフェニル又はナフチルであり、該ハロ及びハロゲンはブロモ、クロロ、フルオロ又はイオドである；
（ｉｉｉ）無置換又はモノ−置換基、ピラゾリル、イミダゾリル、ピリジル、ピラゾリニル、イミダゾリニル、ピロリニル、フェノチアジニル、フェノキサジニル、フェナジニル又はアクリジニルであり、該置換基のそれぞれはＣ１〜Ｃ６アルキル、Ｃ１〜Ｃ４アルコキシ、フェニル，及びハロゲンからなる群から選択される；
（ｉｖ）アリール基、例えばフェニル又はナフチル、に結合した、式
−（ＣＨ２）ｔ−、又は−Ｏ−（ＣＨ２）ｔ−
［式中、ｔは整数１、２、３、４、５又は６である。］
で示される連結基である置換基をパラ位に有するモノ置換フェニル、これはナフト［２，１−ｂ］ピラン又はナフト［１，２−ｂ］ピランのような別のフォトクロミックナフトピランの成員である；
（ｖ）以下の式で示される基：
【化２】
2003519694.tif 000002
式中、Ｅはメチレン又は酸素であり、Ｇは酸素又は置換窒素であり、但しＧが置換窒素である場合はＥはメチレンであり、該窒素置換基は水素、Ｃ１〜Ｃ６アルキル及びＣ２〜Ｃ６アシルからなる群から選択され、各Ｒ６はＣ１〜Ｃ６アルキル、Ｃ１〜Ｃ６アルコキシ、ヒドロキシ、又はハロゲンであり、Ｒ７及びＲ８はそれぞれ水素又はＣ１〜Ｃ６アルキルであり、ｑは整数０、１又は２である；
（ｖｉ）Ｃ１〜Ｃ６アルキル、Ｃ１〜Ｃ６ハロアルキル、Ｃ１〜Ｃ６アルコキシ（Ｃ１〜Ｃ４）アルキル、Ｃ３〜Ｃ１２シクロアルキル、モノ（Ｃ１〜Ｃ６）アルコキシ（Ｃ３〜Ｃ１２）シクロアルキル、モノ（Ｃ１〜Ｃ６）アルキル（Ｃ３〜Ｃ１２）シクロアルキル、ハロ（Ｃ３〜Ｃ１２）シクロアルキル及びＣ４〜Ｃ１２ビシクロアルキル；及び
（ｖｉｉ）以下の式で示される基：
【化３】
2003519694.tif 000003
式中、Ｌは水素又はＣ１〜Ｃ４アルキルであり、Ｍはナフチル、フェニル、フラニル及びチエニルからなる群の無置換、モノ−、及びジ−置換の成員から選択され、該置換基のそれぞれはＣ１〜Ｃ４アルキル、Ｃ１〜Ｃ４アルコキシ又はハロゲンである；又は
（ｅ）Ｂ及びＢ’は一緒になってフルオレン−９−イリデン、モノ−、又はジ−置換フルオレン−９−イリデン、又は飽和Ｃ３〜Ｃ１２スピロ−一環性炭化水素環、飽和Ｃ４〜Ｃ１２スピロ−二環性炭化水素環、及び飽和Ｃ７〜Ｃ１２スピロ−三環性炭化水素環からなる群から選択される成員であり、該フルオレン−９−イリデン置換基がＣ１〜Ｃ４アルキル、Ｃ１〜Ｃ４アルコキシ及びハロゲンからなる群から選択されるものを形成し、但し、前記ナフトピランは５位に非シクロアルキルエステル置換基を有する２Ｈ−ナフト［１，２−ｂ］ピランと比較すると、インビビションフィルムの外観およびインビビションフィルムの除去後の表面外観試験において、より少ない見かけの欠陥を示す。
【請求項２】  以下を満足する請求項１記載のナフトピラン化合物：
（ａ）Ｒ１はＣ３〜Ｃ１０シクロアルキル、モノ（Ｃ１〜Ｃ３）アルキル置換Ｃ３〜Ｃ１０シクロアルキル、モノ（Ｃ１〜Ｃ３）アルコキシ置換Ｃ３〜Ｃ１０シクロアルキル、クロロ（Ｃ３〜Ｃ１０）シクロアルキル、フルオロ（Ｃ１〜Ｃ３）シクロアルキル、Ｃ４〜Ｃ１０ビシクロアルキル又はＣ７〜Ｃ１０トリシクロアルキルである；
（ｂ）Ｒ２は水素、Ｃ１〜Ｃ３アルキル、Ｃ３〜Ｃ５シクロアルキル、フェニル、モノ−又はジ−置換フェニル又は式−ＯＲ４［
式中、Ｒ４は水素、Ｃ１〜Ｃ３アルキル、又は式−ＣＨ（Ｒ５）Ｘ｛式中、ＸはＣＮ又は−Ｃ（Ｏ）Ｗ（式中、Ｗは−ＯＲ９又は−Ｎ（Ｒ１０）Ｒ１１である。）で示される基であり、Ｒ５は水素又はメチルであり、Ｒ９は水素、Ｃ１〜Ｃ４アルキル、フェニル、モノ（Ｃ１〜Ｃ４）アルキル置換フェニル、モノ（Ｃ１〜Ｃ４）アルコキシ置換フェニル、フェニル（Ｃ１〜Ｃ２）アルキル、モノ（Ｃ１〜Ｃ４）アルキル置換フェニル（Ｃ１〜Ｃ２）アルキル、モノ（Ｃ１〜Ｃ４）アルコキシ（Ｃ２〜Ｃ３）アルキル、Ｃ１〜Ｃ４ハロアルキル又はＲ１であり、Ｒ１０及びＲ１１は水素、Ｃ１〜Ｃ４アルキル、Ｃ５〜Ｃ７シクロアルキル、フェニル、モノ−置換フェニル及びジ−置換フェニルからなる群からそれぞれ選択される。｝で示される基であるか；又は
Ｒ４は式−Ｃ（Ｏ）Ｙ｛式中、ＹはＣ１〜Ｃ３アルキル又はＣ１〜Ｃ３アルコキシである。｝で示される基であり、
該フェニル置換基はＣ１〜Ｃ３アルキル又はＣ１〜Ｃ３アルコキシであり、該ハロはクロロ又はフルオロである。］
で示される基である；
（ｃ）各Ｒ３は水素、Ｃ１〜Ｃ４アルキル、Ｃ３〜Ｃ１０シクロアルキル、フェニル、モノ−又はジ−置換フェニルであり、該フェニル置換基はＣ１〜Ｃ３アルキル又はＣ１〜Ｃ３アルコキシであり、ｎは整数０、１又は２であり；
（ｄ）Ｂ及びＢ’は以下の（ｉ）〜（ｖ）からなる群からそれぞれ選択され：
（ｉ）フェニル、モノ−置換及びジ−置換フェニル；
（ｉｉ）無置換、モノ−及びジ−置換ヘテロ芳香族基、フラニル、ベンゾフラン−２−イル、チエニル、ベンゾチエン−２−イル、ジベンゾフラン−２−イル、及びジベンゾチエン−２−イル、（ｄ）（ｉ）及び（ｉｉ）中の該フェニル及びヘテロ芳香族置換基のそれぞれはヒドロキシ、アリール、アリールオキシ、アリール（Ｃ１〜Ｃ３）アルキル、アミノ、モノ（Ｃ１〜Ｃ３）アルキルアミノ、ジ（Ｃ１〜Ｃ３）アルキルアミノ、Ｎ−（Ｃ１〜Ｃ３）アルキルピペラジノ、インドリノ、ピペリジノ、モルホリノ、ピリル、Ｃ１〜Ｃ３アルキル、Ｃ１〜Ｃ３クロロアルキル、Ｃ１〜Ｃ３フルオロアルキル、Ｃ１〜Ｃ３アルコキシ、モノ（Ｃ１〜Ｃ３）アルコキシ（Ｃ１〜Ｃ３）アルキル、クロロ及びフルオロからなる群から選択される；
（ｉｉｉ）以下の式で示される基：
【化４】
2003519694.tif 000004
式中、Ｅはメチレンであり、Ｇは酸素であり、Ｒ６はＣ１〜Ｃ３アルキル又はＣ１〜Ｃ３アルコキシであり、Ｒ７及びＲ８はそれぞれ水素又はＣ１〜Ｃ４アルキルであり、ｑは０又は１である；
（ｉｖ）Ｃ１〜Ｃ４アルキル；及び
（ｖ）以下の式で示される基：
【化５】
2003519694.tif 000005
式中、Ｌは水素又はメチルであり、Ｍはフェニル又はモノ−置換フェニルであり、該フェニル置換基はＣ１〜Ｃ３アルキル、Ｃ１〜Ｃ３アルコキシ又はフルオロである；又は
（ｅ）Ｂ及びＢ’は一緒になってフルオレン−９−イリデン、モノ−置換フルオレン−９−イリデン又は飽和Ｃ３〜Ｃ８スピロ−一環性炭化水素環、飽和Ｃ７〜Ｃ１０スピロ−二環性炭化水素環、及び飽和Ｃ７〜Ｃ１０スピロ−三環性炭化水素環からなる群から選択される成員であり、該フルオレン−９−イリデン置換基はＣ１〜Ｃ３アルキル、Ｃ１〜Ｃ３アルコキシ、フルオロ及びクロロからなる群から選択されるものを形成する。
【請求項３】  以下を満足する請求項２記載のナフトピラン化合物：
（ａ）Ｒ１はＣ３〜Ｃ７シクロアルキルである；
（ｂ）Ｒ２は水素又はＣ１〜Ｃ３アルキルである；
（ｃ）Ｒ３は水素又はＣ１〜Ｃ３アルキルであり、ｎは整数０又は１である；
（ｄ）Ｂ及びＢ’は以下の（ｉ）〜（ｉｉｉ）からなる群からそれぞれ選択され：
（ｉ）フェニル、モノ−及びジ−置換フェニル；
（ｉｉ）無置換、モノ−及びジ−置換ヘテロ芳香族基、フラニル、ベンゾフラン−２−イル、チエニル及びベンゾチエン−２−イルであり、（ｄ）（ｉ）及び（ｉｉ）中の該フェニル及びヘテロ芳香族置換基はヒドロキシ、Ｃ１〜Ｃ３アルキル、Ｃ１〜Ｃ３アルコキシ、フェニル、インドリノ、フルオロ及びクロロからなる群から選択される；
（ｉｉｉ）以下の式で示される基：
【化６】
2003519694.tif 000006
式中、Ｅはメチレンであり、Ｇは酸素であり、Ｒ６はＣ１〜Ｃ３アルキル又はＣ１〜Ｃ３アルコキシであり；Ｒ７及びＲ８はそれぞれ水素又はＣ１〜Ｃ３アルキルであり、ｑは０又は１である；又は
（ｅ）Ｂ及びＢ’は一緒になってフルオレン−９−イリデン、アダマンチリデン、ボルニリデン、ノルボルニリデン、又はビシクロ［３．３．１］ノナン−９−イリデンを形成する。
【請求項４】  以下の群から選択される請求項１記載のナフトピラン化合物：
（ａ）２，２−ジフェニル−５−シクロヘキシルオキシカルボニル−８−メチル−［２Ｈ］−ナフト［１，２−ｂ］ピラン；
（ｂ）２，２−ビス（４−メトキシフェニル）−５−シクロプロピルオキシカルボニル−６−メトキシ−［２Ｈ］−ナフト［１，２−ｂ］ピラン；
（ｃ）２，２−ビス（４−メトキシフェニル）−５−シクロオクチルオキシカルボニル−６−（エトキシカルボニル）メトキシ−［２Ｈ］−ナフト［１，２−ｂ］ピラン；
（ｄ）２，２−ビス（４−メチルフェニル）−５−シクロヘキシルオキシカルボニル−６−（メトキシカルボニルオキシ）−［２Ｈ］−ナフト［１，２−ｂ］ピラン；
（ｅ）２，２−ジフェニル−５−シクロプロピルオキシカルボニル−６−アセトキシ−［２Ｈ］−ナフト［１，２−ｂ］ピラン；
（ｆ）２，２−ビス（４−メトキシフェニル）−５−シクロオクチルオキシカルボニル−６−メチル−［２Ｈ］−ナフト［１，２−ｂ］ピラン；
（ｇ）２，２−ビス（４−メトキシフェニル）−５−シクロヘプチルオキシカルボニル−６−メチル−９−メトキシ−［２Ｈ］−ナフト［１，２−ｂ］ピラン；
（ｈ）２−（４−メトキシフェニル）−２−（２−メチル，２，３−ジヒドロベンゾフラン−５−イル）−５−シクロブチルオキシカルボニル−６−（エトキシカルボニル）メトキシ−［２Ｈ］−ナフト［１，２−ｂ］ピラン；
（ｉ）２−フェニル−２−（２−ジベンゾフリル）−５−シクロヘキシルオキシカルボニル−８−メチル−［２Ｈ］−ナフト［１，２−ｂ］ピラン；
（ｊ）２，２−ジフェニル−５−シクロヘキシルオキシカルボニル−８−メトキシ−［２Ｈ］−ナフト［１，２−ｂ］ピラン；
（ｋ）２−フェニル−２−（４−メトキシフェニル）−５−シクロヘキシルオキシカルボニル−８−メトキシ−［２Ｈ］−ナフト［１，２−ｂ］ピラン；及び
（ｌ）２−フェニル−２−（４−メチルフェニル）−５−シクロヘキシルオキシカルボニル−８−メトキシ−［２Ｈ］−ナフト［１，２−ｂ］ピラン。
【請求項５】  ポリマー有機ホスト材料及びフォトクロミック量の請求項１記載のナフトピラン化合物を組み合わせて有するフォトクロミック物品。
【請求項６】  前記ポリマー有機ホスト材料が、ポリアクリレート、ポリメタクリレート、ポリ（Ｃ１〜Ｃ１２）アルキルメタクリレート、ポリオキシ（アルキレンメタクリレート）、ポリ（アルコキシル化フェノールメタクリレート）、セルロースアセテート、セルローストリアセテート、セルロースアセテートプロピオネート、セルロースアセテートブチレート、ポリ（ビニルアセテート）、ポリ（ビニルアルコール）、ポリ（ビニルクロライド）、ポリ（ビニリデンクロライド）、熱可塑性ポリカーボネート、ポリエステル、ポリウレタン、ポリチオウレタン、ポリ（エチレンテレフタレート）、ポリスチレン、ポリ（アルファメチルスチレン）、コポリ（スチレン−メチルメタクリレート）、コポリ（スチレン−アクリロニトリル）、ポリビニルブチラール、及びポリオール（アリルカーボネート）モノマー、ポリ官能性アクリレートモノマー、ポリ官能性メタクリレートモノマー、ジエチレングリコールジメタクリレートモノマー、ジイソプロペニルベンゼンモノマー、アルコキシル化多価アルコールモノマー及びジアリリデンペンタエリスリトールモノマーからなる群の成員のポリマー、からなる群から選択される請求項５記載のフォトクロミック物品。
【請求項７】  フォトクロミック物質が組み込まれるか塗布されるポリマー有機ホスト材料表面の平方センチメートル当り０．０５〜２．０ミリグラムの量でナフトピラン化合物が存在する請求項５記載のフォトクロミック物品。
【請求項８】  前記ポリマー有機ホスト材料が光学エレメントである請求項５記載のフォトクロミック物品。
【請求項９】  前記光学エレメントがレンズである請求項８記載のフォトクロミック物品。
【請求項１０】  ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、及びジエチレングリコールビス（アリルカーボネート）モノマー、ジエチレングリコールジメタクリレートモノマー、エトキシル化フェノールビスメタクリレートモノマー、ジイソプロペニルベンゼンモノマー及びエトキシル化トリメチロールプロパントリアクリレートモノマーから成る群の成員のポリマー、からなる群から選択されるポリマー有機ホスト材料、及び光互変量の請求項２記載のナフトピラン化合物を有するフォトクロミック物品。
【請求項１１】  ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、及びジエチレングリコールビス（アリルカーボネート）モノマー、ジエチレングリコールジメタクリレートモノマー、エトキシル化フェノールビスメタクリレートモノマー、ジイソプロペニルベンゼンモノマー及びエトキシル化トリメチロールプロパントリアクリレートモノマーから成る群の成員のポリマー、からなる群から選択されるポリマー有機ホスト材料、及び光互変量の請求項４記載のナフトピラン化合物を有するフォトクロミック物品。
【請求項１２】  固体基材及びフォトクロミック量の（ａ）少なくとも１種の請求項１記載のナフトピラン化合物及び（ｂ）別の少なくとも１種の４００〜７００ｎｍの範囲に少なくとも一つの活性化吸収極大を有する有機フォトクロミック化合物を、組み合わせて有するフォトクロミック物品。
【請求項１３】  光学有機樹脂モノマーの重合体及びフォトクロミック量の請求項１記載のナフトピラン化合物を有するフォトクロミック物品。
【請求項１４】  前記重合体の屈折率が約１．４８〜約１．７５である請求項１３記載のフォトクロミック物品。
【請求項１５】  前記重合体が光学エレメントである請求項１３記載のフォトクロミック物品。
【請求項１６】  前記光学エレメントがレンズである請求項１５記載のフォトクロミック物品。
【請求項１７】  固体基材及びその少なくとも一表面上のフォトクロミック量の請求項１記載のナフトピラン化合物を有する被覆組成物の硬化被覆を、組み合わせて有するフォトクロミック物品。
【請求項１８】  前記被覆組成物がポリマー被覆組成物、ペイント及びインクからなる群から選択される請求項１７記載のフォトクロミック物品。
【請求項１９】  前記基材がガラス、メーソンリー、テキスタイル、セラミック、金属、木材、紙及びポリマー有機材料からなる群から選択される請求項１７記載のフォトクロミック物品。
【請求項２０】  固体基材及びその少なくとも一表面上のフォトクロミック量の請求項２記載のナフトピラン化合物を有する被覆組成物の硬化被覆を、組み合わせて有するフォトクロミック物品。
【請求項２１】  固体基材及びその少なくとも一表面上のフォトクロミック量の請求項４記載のナフトピラン化合物を有する被覆組成物の硬化被覆を、組み合わせて有するフォトクロミック物品。